(57)【特許請求の範囲】
【請求項１】
軸筒内に１本の金属レフィルを収容したボールペンにおいて、前記金属レフィルの後方部を圧入嵌合して保持するレフィル保持体が、少なくとも、前記金属レフィルの後方部を収容する金属パイプと該金属パイプを前後で挟持する前方挟持部材と後方挟持部材からなり、前記金属パイプの内側面に前記金属レフィルを保持する膨出部を設け、前記前方挟持部材に前後を貫通する貫通孔を設けると共に、該貫通孔の前方部に前方へ向かって拡径する案内溝を設け、前記前方挟持部材の後方部に形成した後方捻子部と前記後方挟持部材の前方部に形成した前方捻子部とを螺合することにより、前記金属パイプを前記前方挟持部材と前記後方挟持部材とで挟持して固定することを特徴とするボールペン。
【発明の詳細な説明】
【０００１】
【発明の属する技術分野】
本発明は、軸筒内に１本の金属レフィルを収容するボールペンに関する。
【０００２】
【従来の技術】
従来、軸筒の内部に１本のレフィルを収容するボールペンとして、例えば、図３，図４，図５に示すようなボールペンの構造は良く知られている。図３に示すボールペン１０１の構造は、軸筒１０２の内部にレフィル１０３を収容すると共に、軸筒１０２の前方部に螺合した口金１０４の開口部１０４ａからチップ１０３ａを突出させ、口金１０４と軸筒１０２の間にチップ１０３ａを固設したチップホルダー１０３ｂのフランジ部１０３ｃを挟み込んで保持する構造である。尚、ボールペン１０１はレフィル１０３の成形寸法誤差を軸筒１０２の後方部に螺合した尾冠１０５の内部に形成した空間部１０５ａにより吸収する構造となっている。
【０００３】
次に、図４に示すボールペン２０１の構造は、軸筒２０２の内部にレフィル２０３を収容すると共に、軸筒２０２の前方部に螺合した口金２０４の開口部２０４ａからチップ２０３ａを突出させ、レフィル２０３のチップホルダー２０３ｂの大径部２０３ｃを口金２０４の内側面へ当接させると共に、レフィル２０３の後端部を軸筒２０２の後方部に螺合した尾冠２０５の底面に形成した凸部２０５ｂへ係合させたコイルバネ２０６により前方へ弾発して保持する構造である。尚、ボールペン２０１はレフィル２０３の成形寸法誤差をコイルバネ２０６の撓みにより吸収する構造となっている。
【０００４】
次に、図５に示すボールペン３０１の構造は、軸筒３０２の内部にレフィル３０３を収容すると共に、軸筒３０２の前方部に螺合した口金３０４の開口部３０４ａからチップ３０３ａを突出させ、レフィル３０３の後方部を軸筒３０２の後方部に螺合した尾冠３０５の底面に形成した凹部３０５ａへ嵌め込んで保持する構造である。尚、ボールペン３０１はレフィル３０３の成形寸法誤差をチップ３０３ａの開口部３０４ａからの突出量で調整する構造となっている。
【０００５】
【発明が解決しようとする課題】
ところで、図３に示す構造では、レフィル１０３を保持するためにチップホルダー１０３ｂに軸筒１０２の前方部の先端面に当接する大径のフランジ部１０３ｃを必要としていた。したがって、ボールペン１０１は外径を細くしたくても、フランジ部１０３ｃの必要性から、外径寸法の最小限界が規制されてしまうという問題があった。次に、図４に示す構造も、レフィル２０３を保持するために、チップホルダー２０３ｂとコイルバネ２０６を必要とし、さらには、チップホルダー２０３を口金２０４へ適確に当接させるために大径部２０３ｃを必要とし、また、筆記時に筆圧を受けるコイルバネ２０６は強度の面からバネの線径や外周が大きくなり、これらの理由により軸筒の外径寸法の最小限界が規制されてしまうという問題があった。また、図３，図４に共通して言えることだが、ボールペン１０１，２０１では、レフィル１０３，２０３内のインキが無くなり、新しいレフィルに交換する際には、口金１０４，２０４を外して交換することになるのだが、レフィル１０３，２０３が軸筒１０２，２０２に直接保持されていないので、口金１０３，２０３を外した際に、軸筒１０２，２０２内からレフィル１０３，２０３が落下してしまうという問題があった。
【０００６】
図５に示す構造では、レフィル３０３を保持するために前記したような大径部を必要としないために、特にチップ３０３ａの後方にインキ収容筒３０３ｂを連接した軸径が細いレフィルを収容する場合に採用されている。ところで、この様な構造のレフィルとして、軸筒内に複数のレフィルを収容する複式筆記具があるが、その軸筒内に収容されているレフィルは、チップの外径と略同径のインキ収容筒をチップの後方に連接しており、インキ収容筒は金属製としたものがある。このレフィルを軸筒内に収容して筆記可能にするには、前述したようなことから図５に示した構造が好ましいことはすぐ判る。しかしながら、インキ収容筒３０３ｂが金属製にあっては、インキ収容筒３０３ｂを受け止める尾冠３０５も耐久性を考慮すると金属成型品を選択することが好ましく、インキ収容筒３０３ｂと尾冠３０５とが金属製であった場合には、インキ収容筒３０３ｂの後端部を保持するための尾冠３０５の凹部３０５ａの寸法精度が問題となる。金属同士の嵌合では、各々の部材の公差を厳しくしなければ、バラツキにより嵌合できないものも現われ、組立て、加工が難しくなるものがある。また、レフィル３０５を凹部３０５ａにしっかりと保持させるために、凹部３０５ａ内に膨出部を設けることはさらに困難であった。本発明はこうした事実に鑑み、チップの後方にチップと略同径のインキ収容筒を連接してなる金属製のレフィルを脱落することなく、確実にかつ簡単な構造で収容することができるボールペンを提供することである。
【０００７】
【課題を解決するための手段】
次に、前記課題を解決するために案出した本発明のボールペンを説明する。
軸筒内に１本の金属レフィルを収容したボールペンにおいて、金属レフィルの後方部を圧入嵌合して保持するレフィル保持体が、少なくとも、金属レフィルの後方部を収容する金属パイプと金属パイプを前後で挟持する前方挟持部材と後方挟持部材からなり、金属パイプの内側面に金属レフィルを保持する膨出部を設け、前方挟持部材に前後を貫通する貫通孔を設けると共に、貫通孔の前方部に前方へ向かって拡径する案内溝を設け、前方挟持部材の後方部に形成した後方捻子部と後方挟持部材の前方部に形成した前方捻子部とを螺合することにより、金属パイプを前方挟持部材と後方挟持部材とで挟持して固定することを特徴とする。
【０００８】
本発明において、金属レフィルの後方部を圧入嵌合して保持するレフィル保持体の一部に、金属パイプを用いるのは、耐久性を考慮し、レフィル保持体を金属レフィルの強度に適合させるためと、一般に流通している規格品の金属パイプを用いることにより、内側面に膨出部を例えばプレスで簡単に加工して成形を行ない、金属レフィルを膨出部で確実に保持できるという作用効果を奏するためである。
【０００９】
また、前方挟持部材に前後を貫通する貫通孔を設けると共に、貫通孔の前方部に前方へ向かって拡径する案内溝を設けるのは、案内孔の案内により金属レフィルを貫通孔に挿入し易いという作用効果を奏するためである。
【００１０】
また、前方挟持部材の後方部に形成した後方捻子部と後方挟持部材の前方部に形成した前方捻子部とを螺合することにより、金属パイプを前方挟持部と後方挟持部とで挟持して固定するのは、金属レフィルを保持する金属パイプを容易に固定することができると共に、金属パイプの長さ方向の成型寸法誤差を前方挟持部材と後方挟持部材との螺合の距離を調整することにより解消できるという作用効果を奏するためである。
【００１１】
【発明の実施の形態】
次に図を参照しながら、本発明の実施の形態例を説明する。
本実施の形態例では、図の説明において筆記具の先端を前方と表現し、その反対を後方として表現する。尚、本発明は、後述の実施の形態例に限定されるものではない。
【００１２】
図１は本実施の形態例のボールペンの断面図である。図１に示すように、ボールペン１は、軸筒２の内部に金属製の金属レフィル３を収容してある。尚、金属レフィル３は軸筒２の前方に位置する前軸４の開口部４ａよりチップ３ａを突出させ、チップ３ａの後方にはチップ３ａの外径と同径のインキ収容筒３ｂを連接して筆記可能状態としてある。
【００１３】
また、前軸４の後方には金属パイプ５の前方部５ａを挟持する前方挟持部材６が、前軸４の後方に形成した雌螺子部４ｂに前方挟持部材６の前方に形成した雄螺子部６ａを螺合させて固定してある。また、前方挟持部材６の後方には金属パイプ５の後方部５ｂを挟持する後方挟持部材７が、後方挟持部材７の前方に形成した雌螺子部７ａを前方挟持部材６の後方に形成した雄螺子部６ｂに螺合させて固定してある。また、前方挟持部材６には前後を貫通する貫通孔６ｃを形成しており、貫通孔６ｃの前方部には前方へ拡径する案内溝６ｄを形成してある。
【００１４】
また、後方挟持部材７の底面に形成した凹部７ｂの内部には、小径部８ａと大径部８ｂからなる凸状部材８の大径部８ｂを遊嵌させている。また、小径部８ａの前端には金属レフィル３が当接した際に、空気が流通するための一文字のスリット８ｃを形成しており、インクの流出を促す構造としてある。尚、金属レフィル３は凸状部材８の大径部８ｂに当接しており、したがって金属パイプ５は、前方挟持部材６の当接部６ｅと凸状部材８の大径部８ｂに当接した状態で、前方挟持部材６と後方挟持部材７との螺合により挟持されて固定してある。したがって、本発明の実施の形態例では、金属パイプ５，前方挟持部材６，後方挟持部材７，凸状部材８でレフィル収容体９を構成している。
【００１５】
図２は本実施の形態例のボールペンの組立時の断面図である。図２では、既に、後方挟持部材７の凹部７ｂの内部に凸状部材８の大径部８ｂが遊嵌した状態となっており、凸状部材８の小径部８ａには金属パイプ５の後方部５ｂを遊嵌させてある。尚、本実施の形態例では、耐久性と質感を考慮して、金属パイプ５，前方挟持部材６，後方挟持部材７，凸状部材８を金属で形成したが、前述の凹部７ｂと大径部８ｂ並びに後方部５ｂと小径部８ａとが遊嵌することから、それぞれの寸法精度を重要視する必要はない。
【００１６】
次に、後方挟持部材７に凸状部材８と金属パイプ５を組み込んだ状態で、前方挟持部材６を螺合させたところ、金属パイプ５は前方挟持部材６の当接部６ｅと凸状部材８の大径部８ｂとに当接した状態で挟持されて固定された。したがって、本実施の形態例では、金属パイプ５の長さ方向の成型寸法誤差が前方挟持部材６と後方挟持部材７とを螺合する距離を調整して解消することができた。また、螺子を締め付ける際に、前方挟持部材６の前方に形成した雄螺子部６ａは外部に露出する状態となっているので、雄螺子部６ａを摘んで容易に回すことができた。
【００１７】
次に、金属レフィル３を貫通孔６ｃおよび金属パイプ５へ挿入した。この時、貫通孔６ｃの前方部には案内溝６ｄが形成されているので、容易に挿入することができた。
また、挿入後には、金属レフィル３は金属パイプ５に形成した膨出部５ｃに保持された。この膨出部５ｃは金属パイプ５を側面よりプレス加工しただけの簡単な成型物であるが、金属特有の弾発力により確実に金属レフィル３を保持することができた。
【００１８】
最後に、前軸４を前方挟持部材６に螺合してボールペン１が完成する。したがって、レフィル内のインクが無くなった際には、前軸４を取り外して金属レフィル３を新品に交換することができる。尚、交換時に使用者が誤って前方挟持部材６と後方挟持部材７との螺合を外してしまわないように、組立の際に前方挟持部材６と後方挟持部材７とを接着剤で接着してしまうことが好ましい。
【００１９】
【発明の効果】
以上のように、本発明のボールペンは、前述したような構造なので、チップと略同径のインキ収容筒をチップの後方に連接した金属製のレフィールを確実かつ、簡単に軸筒内に収容し保持することができるものとなった。
【図面の簡単な説明】
【図１】  本実施の形態例のボールペンの断面図である。
【図２】  本実施の形態例のボールペンの組立時の断面図である。
【図３】  従来のボールペン構造。
【図４】  従来の他のボールペン構造。
【図５】  従来の他のボールペン構造。
【符号の説明】
１…ボールペン、２…軸筒、３…金属レフィル、３ａ…チップ、
４…前軸、４ａ…開口部、４ｂ…雌螺子部、
５…金属パイプ、５ａ…前方部、５ｂ…後方部、５ｃ…膨出部、
６…前方挟持部材、 ６ａ…雄螺子部、６ｂ…雄螺子部、６ｃ…貫通孔、案内溝…６ｄ、
７…後方挟持部材、７ａ…雌螺子部、
８…凸状部材、８ａ…小径部、８ｂ…大径部、８ｃ…スリット
９…レフィル収容体。
【図１】
0004549561.tif 000002
【図２】
0004549561.tif 000003
【図３】
0004549561.tif 000004
【図４】
0004549561.tif 000005
【図５】
0004549561.tif 000006